(57)【要約】【課題】旋削用の切削工具で、ホルダに設けられるクーラントの吐出口形状の複雑化を招かず、切り刃形状、切削幅に関係なく、切削を行う切れ刃の幅部位の全体に、その逃げ面側で、チップ支持力を低下させず、クーラントを効率的に吹き付け得るようにする。【解決手段】 ホルダ１１の座面２の周縁部に、拘束部３５を備えた拘束壁３１を立ち上げ、形成し、この拘束壁３１にクーラントの吐出口５５を開口させる。座面２３の周縁部に支持部材６１を空隙Ｋを保持して包囲する板壁４１を立ち上げ、形成しておく。支持部材６１を介して切削インサート７１を座面２３に着座させ、拘束部３５で逃げ面７５を拘束して固定し、支持部材６１の逃げ面６５と、拘束壁３１、板壁４１との間に空隙Ｋを保持させ。クーラントを吐出口５５から空隙Ｋに吐出させと、座面２３側から逃げ面６５に沿って切れ刃７２に向けて薄膜流として噴出させ得るため、効率的に吹き付け得る。【選択図】  図６
2014046446.tif 000002
【特許請求の範囲】
【請求項１】
先端に設けられた座面に切削インサートを直接又は支持部材を介して固定することによって切削工具をなすように形成された切削工具用ホルダであって、
切削工具用ホルダ自身の内部にクーラントの供給用の供給孔が設けられてなる切削工具用ホルダにおいて、
前記座面の周縁部には、前記切削インサートの逃げ面を拘束するための拘束部を備えた拘束壁が立ち上がる形で設けられていると共に、該拘束壁又は前記座面には、供給されたクーラントを吐出させる吐出口が開口されており、
該座面に前記切削インサートが、すくい面を上にして、直接又は支持部材を介して位置決めされ、かつ前記逃げ面が前記拘束部にて拘束されて固定されたときにおいて、
該切削インサート又は前記支持部材の逃げ面の周囲に、前記拘束壁のうちの少なくとも前記座面寄り部位と共に、空隙を保持する板壁が形成されており、しかも、該板壁は、該座面の周縁部のうち、前記拘束壁を除いた部位に該座面の周縁部から立ち上がる形で形成されていることを特徴とする切削工具用ホルダ。
【請求項２】
切削工具用ホルダの先端に設けられた座面に切削インサートを直接又は支持部材を介して固定してなる切削工具であって、
該切削工具用ホルダは、前記座面の周縁部に前記切削インサートの逃げ面を拘束するための拘束部を備えた拘束壁を立ち上がる形で備え、かつ、自身の内部にクーラントの供給用の供給孔を備えていると共に、該拘束壁又は前記座面には、供給されたクーラントを吐出させる吐出口が開口されており、
該座面に前記切削インサートが、すくい面を上にして、直接又は支持部材を介して位置決めされ、かつ前記逃げ面が前記拘束部にて拘束されて固定されており、この固定状態において、
該切削インサート又は前記支持部材の逃げ面の周囲に、前記拘束壁のうちの少なくとも前記座面寄り部位と共に、空隙を保持する板壁が形成されており、しかも、該板壁は、該座面の周縁部のうち、前記拘束壁を除いた部位に該座面の周縁部から立ち上がる形で形成されていることを特徴とする切削工具。
【請求項３】
前記吐出口は、前記拘束壁のうちの前記座面寄り部位に設けられていることを特徴とする請求項２に記載の切削工具。
【請求項４】
前記切削インサートは、前記支持部材を介して座面に固定されていることを特徴とする請求項２又は３に記載の切削工具。
【請求項５】
前記支持部材は、前記座面にネジ部材によるねじ込み方式で固定されていることを特徴とする請求項２〜４のいずれか１項に記載の切削工具。
【発明の詳細な説明】
【技術分野】
【０００１】
本発明は、旋削等の切削に使用される切削工具用ホルダ、及び切削工具（バイト）に関する。詳しくは、円筒旋削、倣い切削、さらには溝入れや端面加工などの切削に使用される切削工具に用いられる切削工具用ホルダ、及びこの切削工具用ホルダの先端の凹部における座面に、スローアウェイ方式などの切削インサート（スローアウェイチップ又は単にチップともいわれる）を固定してなる切削工具に関する。
【背景技術】
【０００２】
例えば、耐熱合金のような高強度材をこの種の切削工具（以下、工具とも言う）で旋削する場合には、その切削中、切削油や切削水（不水溶性切削油剤や水溶性切削油剤）等のクーラントをその切削インサートにおける切れ刃（切削部位）に連続して供給する（浴びせかける）ことが不可欠である。とくに、切込みが深い粗削りにおいては、切削抵抗も大きく、切れ刃の摩耗が激しくなるため、その摩耗の低減ないし工具の長寿命化のためにもクーラントの供給は重要である。こうしたクーラントを切れ刃の切削部位に供給する手段としては、専用配管を用いて、その先端から直接、切れ刃部位に供給するもの以外に、切削工具用ホルダ（以下、単にホルダともいう）内に、例えば、そのホルダの基端から先端に向けてクーラントの供給孔（流路）をトンネル状に形成し、この供給孔を介してその供給を行う技術が各種、提案されている（特許文献１、２，３）。これらのものでは、その供給孔の入口に、クーラントを圧送するための配管（チューブ）を接合しておき、圧送したクーラントを、ホルダの先端又はその近傍に設けた吐出口（クーラントの吐出用の開口）から切削部位をなす切れ刃に供給する、というものである。
【０００３】
ところで、クーラントの切れ刃への供給は、そのすくい面側と逃げ面側の双方から行うのが望ましいが、すくい面側から供給する場合には、排出される切り屑に遮られるため、切れ刃に効率的にそれを供給することは難しい。一方、切れ刃の寿命は、通常、逃げ面摩耗を基準として判断される。また、旋削において仕上げ面粗度（精度）に影響するのは、すくい面より逃げ面の摩耗である。こうしたことから、クーラントは逃げ面側から切れ刃に供給することが効果的である。このため、上記技術においても、クーラントの吐出口を、ホルダの先端のうち、切れ刃をなす切削インサートの逃げ面側の近傍において開口させている。これらのものでは、吐出されるクーラントが切削部位に効率的に吹き付けられるようにするため、その吐出口に連なる供給孔が、ホルダの先端において、斜め上向きに設けられたり、切削インサートの直近においてその吐出口を開口させるなど、各種の工夫がなされている。なお、この種の切削工具においては、切削インサートがホルダの座面に直接載せられて固定されることもあるが、その破断等からホルダを保護するため、切削インサートの下面と、座面との間に、その下面と、通常、同形、同寸をなす支持部材（シムシート、アンビルともいわれる介在物）を介在させてその固定を行うことが多い。
【先行技術文献】
【特許文献】
【０００４】
【特許文献１】特開昭６１−７１９０３号公報
【特許文献２】特開平１０−２９６５０５号公報
【特許文献３】ＷＯ００／０９２８０号公報
【発明の概要】
【発明が解決しようとする課題】
【０００５】
上記のいずれの技術におけるクーラント供給手段においても、吐出されるクーラントは、その吐出口が通常、小さい円など単純な横断面形状とされる。こうしたことから、クーラントは、細いストレートの軸状流（通常、横断面が略円形の軸状流）となって、切れ刃の切削部位に浴びせかけられる。このため、例えば、切削インサートに円形チップが用いられ、粗削りのように比較的、切込みが深く、しかも、切れ刃のうち、切削を行っている刃の幅（長さ）部位が大きいような場合には問題がある。というのは、細いストレートの軸状流で吹き付けられるクーラントでは、それが広い刃幅の全体に効率的に浴びせかけることができないためである。すなわち、ストレートの軸状流で吹き付けられるクーラントでは、切れ刃に沿う、狭い幅領域しか直接には冷却できないためである。このため、このようなクーラント供給方式の切削工具の使用においては、切削における摩擦熱の高温化を招き易く、切れ刃の摩耗、焼付けにより工具寿命が短くなりがちであるなどの問題があった。なお、このような問題は、円形チップにかぎられるものでなく、正方形やひし形チップにおいても、広い刃幅（長い切れ刃部位）において切削する場合には同様に顕在化する。
【０００６】
一方、上記したクーラントの吹き付け方式により、こうした問題を解消するためには、その軸状流におけるその直径を太くすることになる。しかし、それでは、ホルダのチップ支持力が低下していくため、限界がある。また、ストレートの軸状流でなく、幅の広い扁平流ないし拡散扁平流としてクーラントを吐出させることも考えられるが、このような吐出流が得られる吐出口を形成するには、その吐出口（ノズルの開口部分）、及びその近傍の供給孔（流路）の横断面形状を、例えば開口部において扁平で幅の広い矩形としたり、或いは、開口端に向けて幅が広い扇形状に加工する必要があるが、この場合も同様にチップ支持力が低下する。
【０００７】
しかし、微小な吐出口において、そのような形状、構造を得ることは、加工が複雑化するため、著しいコストアップを招いてしまうか、或いは、加工が困難となる。また、ホルダの先端面に吐出口を横に並べて多数形成することも考えられるが、その場合にもこれと同様の問題がある。しかも、幅広の吐出流を得ようとしても、供給孔の先端（吐出口）の拡径化のみでは、自ずと限界があり、所望とする吐出流を得ることは困難である。
【０００８】
本発明は、上記した問題点に鑑みてなされたもので、旋削等の切削に使用される切削工具において、そのホルダに設けられるクーラントの吐出口（噴出口）等の形状、構造の複雑化を招くことなく、しかも、切り刃形状や、切削幅の広狭に関係なく、切削を行う切れ刃（切削部位）の幅部位、ないし切れ刃長の全体に、チップ支持力の低下を招くことなく、効率的に吹き付けることができる切削工具を提供することをその目的とする。
【課題を解決するための手段】
【０００９】
前記の目的を達成するため、請求項１に記載の発明は、先端に設けられた座面に切削インサートを直接又は支持部材を介して固定することによって切削工具をなすように形成された切削工具用ホルダであって、
切削工具用ホルダ自身の内部にクーラントの供給用の供給孔が設けられてなる切削工具用ホルダにおいて、
前記座面の周縁部には、前記切削インサートの逃げ面を拘束するための拘束部を備えた拘束壁が立ち上がる形で設けられていると共に、該拘束壁又は前記座面には、供給されたクーラントを吐出させる吐出口が開口されており、
該座面に前記切削インサートが、すくい面を上にして、直接又は支持部材を介して位置決めされ、かつ前記逃げ面が前記拘束部にて拘束されて固定されたときにおいて、
該切削インサート又は前記支持部材の逃げ面の周囲に、前記拘束壁のうちの少なくとも前記座面寄り部位と共に、空隙を保持する板壁が形成されており、しかも、該板壁は、該座面の周縁部のうち、前記拘束壁を除いた部位に該座面の周縁部から立ち上がる形で形成されていることを特徴とする。
【００１０】
請求項２に記載の発明は、切削工具用ホルダの先端に設けられた座面に切削インサートを直接又は支持部材を介して固定してなる切削工具であって、
該切削工具用ホルダは、前記座面の周縁部に前記切削インサートの逃げ面を拘束するための拘束部を備えた拘束壁を立ち上がる形で備え、かつ、自身の内部にクーラントの供給用の供給孔を備えていると共に、該拘束壁又は前記座面には、供給されたクーラントを吐出させる吐出口が開口されており、
該座面に前記切削インサートが、すくい面を上にして、直接又は支持部材を介して位置決めされ、かつ前記逃げ面が前記拘束部にて拘束されて固定されており、この固定状態において、
該切削インサート又は前記支持部材の逃げ面の周囲に、前記拘束壁のうちの少なくとも前記座面寄り部位と共に、空隙を保持する板壁が形成されており、しかも、該板壁は、該座面の周縁部のうち、前記拘束壁を除いた部位に該座面の周縁部から立ち上がる形で形成されていることを特徴とする。
【００１１】
請求項３に記載の発明は、前記吐出口は、前記拘束壁のうちの前記座面寄り部位に設けられていることを特徴とする請求項２に記載の切削工具である。
請求項４に記載の発明は、前記切削インサートは、前記支持部材を介して座面に固定されていることを特徴とする請求項２又は３に記載の切削工具である。
請求項５に記載の発明は、前記支持部材は、前記座面にネジ部材によるねじ込み方式で固定されていることを特徴とする請求項２〜４のいずれか１項に記載の切削工具である。
【発明の効果】
【００１２】
本発明の切削工具用ホルダ、及びこれを用いた切削工具においては、上記構造を有しているため、前記吐出口から吐出するクーラントを、該板壁の内壁面と前記逃げ面との間の空隙に入り込ませ（流れ込ませ）、該板壁の内壁面にガイドさせて、前記座面側から前記逃げ面に沿ってその切れ刃、又は該切れ刃の近傍に向けて噴射させることができる。すなわち、本発明によれば、クーラントを、逃げ面の周りにおいて形成された前記空隙において、前記座面側から前記逃げ面に沿って、該切削インサートの切れ刃又はその近傍に向けて噴射させることができるため、その吐出流（噴出流）は、前記逃げ面に沿って薄い層、又は薄い膜状の流れ（以下、薄膜流という）とすることができる。このため、本発明の切削工具によって、工作物をその切り込み幅が広い状態で旋削等の切削をする場合においては、クーラントを、切削部位をなす切れ刃の、その広い幅領域に、チップ支持力の低下を招くことなく、効率的に吹き付ける（浴びせかける）ことができる。なお、本発明において、切削インサートの「逃げ面」とは、切削を受け持つ切れ刃の逃げ面の他、この逃げ面に連なる側面ないし外周面（複数コーナーを有する切削インサートにおいては、未使用の切れ刃（コーナ）側における逃げ面）を含むものとする。また、支持部材の「逃げ面」とは、その上に、載置されて固定される切削インサートの前記「逃げ面」に沿って続く面、すなわち、その切削インサートの逃げ面に対応ないし相当する側面（外周面）を意味する。
【００１３】
しかも、本発明において得られる、逃げ面に沿うこのような薄膜流をなす流れ性状は、クーラントの吐出口を加工によって形成したことによるものではない。上記構成のように、そのような薄膜流は、座面に切削インサートを、直接又は支持部材を介して着座させて固定することで、その逃げ面の回りに、立ち上げられる形で形成された板壁と、拘束壁のうちの少なくとも座面寄り部位との間で形成される空隙の存在を利用したものである。すなわち、本発明では、座面の周縁部を利用し、そこに板壁を立てて、拘束壁のうちの、少なくとも座面寄り部位とで、それらの内面（内壁面）と、固定した切削インサート又は支持部材の逃げ面との間において、周方向に沿って空隙（隙間）を形成し、その空隙をクーラントの流路としている。そして、吐出口から吐き出されてその空隙に入り込んだクーラントを、該空隙において前記座面側から前記逃げ面に沿って前記切削インサートの切れ刃、又はその近傍に向けて噴射させ、その板壁の内壁面にてそのクーラントをガイドすることで薄膜流を形成するものである。このように、本発明においては、吐出口の形状、構造の複雑化を招くことなく、切れ刃に沿う広い範囲にわたって効率的にクーラントを吹き付けることができる。
【００１４】
本発明において、板壁は、その内壁面が、逃げ面に平行となるか、或いは、クーラントの出口側（板壁の上端側）における空隙が狭くなるように立ち上げるのが好ましいが、これに限定されるものではない。すなわち、板壁の立ち上げの角度は、切削インサートの切れ刃の逃げ面の角度（逃げ角）等に応じて、適宜に設定すればよい。なお、空隙（隙間）が狭い（小さい）ほど、噴出されるクーラントはより薄く、速度の速い薄膜流となって噴出することになる。このため、この空隙は、切削条件に応じて、必要量ないし適量のクーラントが円滑に噴出させることができるように、その粘性や組成、さらには、圧送ポンプ（圧送手段）の出力等を考慮して設定すればよい。なお、クーラントは、実際に切削を受け持つ切れ刃に効率的に噴射されるのが好ましいことから、切削抵抗が大きい切れ刃の部位（コーナで深く切り込む場合には、そのコーナの部位）に相対的に多くのクーラントが吹き付けられるように、空隙（開口）の幅は、切削抵抗が大きい切れ刃の部位では広く、それが小さい部位では狭くするなど、逃げ面周りにおいて、すなわち、切れ刃に沿って異ならせてもよい。
【００１５】
本発明において、拘束壁又は座面に設けられる吐出口は、クーラントが空隙に入り込んで、座面側から逃げ面に沿ってすくい面側に向けて流すことができればよく、したがって、吐出口の先端の向き（クーラントが吐出される向き）は、座面における切削インサートの配置等に基づいて設定すればよい。また、吐出口は、拘束壁でも座面でも、或いはその両方に跨って開口していてもよい。ただし、前記吐出口を座面に開口させると、その分、切削インサート又は支持部材の座面に対する接圧面積が小さくなることがある。一方、前記拘束壁に開口することで、その減小はないし、クーラントを座面に沿って吐出させ易いから、前記空隙において逃げ面回りに流しやすい。これにより、吐出口から離間する位置の空隙からも薄膜流として噴射させ易い。このためにも、吐出口は、前記拘束壁でも、前記座面寄り部位に設けるのがより好ましい。
【００１６】
また、板壁の立ち上げ高さは、板壁の内壁面がクーラントの噴出において上記したガイドをなし得るものであればよいが、それは単位時間当たりのクーラントの圧送流量によっても異なるので、これらに応じて適当な高さとなるように設定すればよい。一方、板壁は、逃げ面側に位置することになるため、切削において工作物に干渉しやすい位置となる。このため、板壁は、切削に支障がない範囲で、その板壁の厚さも考慮して、その高さ等を設定すればよい。なお、板壁は、ホルダの座面等の形成、加工過程において削り出しで一体で形成してもよいし、別途、薄板等を溶接等により接合形成してもよい。
【００１７】
本発明において、支持部材を介在させることなく、切削インサートを直接座面に固定する場合には、切削インサートの厚みが薄いと、板壁の高さを十分確保できない。このため、本発明では、支持部材を介在させるのが、ホルダの保護のためだけでなく、クーラントの案内作用の確保の点からも好ましいといえる。この意味から、支持部材を用いない場合には、厚みのある切削インサートを用いるか、空隙を微小にしてクーラントの圧送流量をアップするのがよい。なお、切削インサートは、ポジタイプでもネガタイプのものでも、本発明は適用できるが、ポジタイプにおいては、板壁を形成しやすい点で、本発明を適用しやすい。
【図面の簡単な説明】
【００１８】
【図１】本発明に係る切削工具の第１実施形態例の斜視図、及びその要部拡大図。
【図２】図１の要部の分解斜視図、及びホルダの要部拡大図、並びにホルダ先端部位（Ｓ１−Ｓ１）の拡大縦断面図。
【図３】ホルダの先端部位の平面図、及びその要部拡大図。
【図４】図１の切削工具の斜視断面図、及びその要部拡大図。
【図５】Ａは、図１の切削工具の要部拡大縦断面図、ＢはそのＳ２−Ｓ２断面図。
【図６】図５のＰ１部の拡大、及びその先端の空隙を説明するさらなる拡大図。
【図７】図６のＳ３−Ｓ３断面図。
【図８】図６を先端側から見た半断面図。
【図９】図８を横から見た先端部分の図。
【図１０】変形例を説明する図６に対応する図。
【図１１】本発明に係る切削工具の第２実施形態例の分解斜視図、及びホルダの要部拡大図。
【図１２】本発明に係る切削工具の第２実施形態例の斜視図、及びその要部拡大図。
【図１３】図１２の要部を矢印Ａ１方向から見た断面図、及びその各部のさらなる拡大図。
【図１４】図１３において切削工具を先端側から見た断面図、及びそのさらなる拡大図。
【図１５】本発明に係る切削工具の第３実施形態例の分解斜視図、及びホルダの要部拡大図。
【図１６】本発明に係る切削工具の第３実施形態例の斜視図、及びその要部拡大図。
【図１７】図１６の要部を矢印Ａ２方向から見た断面図、及びその各部のさらなる拡大図。
【発明を実施するための形態】
【００１９】
本発明を具体化した実施の形態例（第１実施形態例）を、図１〜図９を参照しながら詳細に説明する。本例の切削工具１００は、図１に示したように、棒状をなすホルダ１１の先端（左端）２１において凹設された座面２３に、切削インサート支持用の支持部材６１を着座させ、この支持部材６１を介して切削インサート７１を固定したものとされている。その固定は、ホルダ１１の上面１３のうち、その先端寄り部位において、ネジ部材（締付けボルト、クランプネジ部材）８１をねじ込み、その頭部でクランプ部材（押え金）８３を押え付けて、その先端寄り部位８４で、切削インサート７１のすくい面７３を押さえつけるクランプ方式によるものとされている。なお、固定されている切削インサート７１は、円形の切れ刃７２を持つポジタイプのをものとされている。以下、この第１実施形態例の切削工具１００について、それを構成するホルダ１１から、各図を参照しながら、順次、説明する。
【００２０】
本例の切削工具１００を構成するホルダ１１は、横断面が矩形で棒状に延びるホルダ本体１０と、その先端２１寄り部位において、平面視（固定される切削インサート７１のすくい面７３側から見て）、両側を先細り状とする首部１５と、この首部１５を介して先方に向けて所定の幅で延び、かつ先端２１が平面視、凸となす円弧状に形成された頭部１７とから構成されている（図１〜図３参照）。ホルダ１１における頭部１７のうち、首部１５寄り部位の上面（すくい面７３を向く面）には、切削インサート７１を固定するクランプ部材押さえつけ用のネジ部材８１をねじ込むためのネジ孔１９が設けられている。また、このホルダ１１の上面１３における首部１５と頭部１７との間には、クランプ部材の８３後端の脚部８５を嵌合させる溝２０が切り込まれている。
【００２１】
この頭部１７は、ホルダ１１の先端２１において、平面視、円弧（円形）状において凹設されており、その円形をなす底面が平坦な座面２３をなしている。ただし、座面２３の中央には、ホルダ１１の下面１４に向けて垂直に貫通する貫通孔（円孔）２５が設けられている。この貫通孔２５は、ホルダ１１の下面１４側から頭部付きネジ部材９１を挿通して、座面２３に着座させる支持部材６１の下面６２中央に設けられたネジ孔６３にねじ込むことで、支持部材６１を座面２３に固定するためのものである。なお、貫通孔２５は、ネジ部材９１の頭部９３を沈頭させるため、その形成面であるホルダ１１の下面１４側は拡径状にざぐられている（図２、図４参照）。また、本例では、ホルダ１１の頭部１７に設けられた座面２３に対して、切削インサート７１を直接、着座させるのではなく、支持部材（シムシート）６１を介在させる設定とされている。したがって、その座面２３は、深く陥没状に掘り下げられた形に形成されている。また、この座面２３は、支持部材６１を介在させて固定する切削インサート７１のすくい面７３が、ホルダ１１の上面１３と略面一となるようにされている。
【００２２】
さて、上記した座面２３のうち、ホルダ本体１０の基端１２側の周縁部は、平面視、半円に近い円弧状で、その座面２３の周縁部から垂直に、立ち上がる拘束壁３１が形成されている（図２、図３参照）。ただし、この拘束壁３１は、平面視、その座面２３寄り部位３２に対し、それより上方の上端寄り部位３４が段部３３を介して径（内径）が大きい円弧をなすように形成されている。この拘束壁３１は、ホルダ１１における頭部１７の上面１３まで立ち上げられている。そして、この拘束壁３１の上端寄り部位３４のうち、ホルダ１１の上面１３近傍部位が、本例では切削インサート７１の逃げ面７５を拘束する拘束部３５をなすように構成されている（図２〜図４参照）。すなわち、この拘束壁３１における上面近傍部位である拘束部３５は、切削インサート７１の逃げ面７５の上縁寄り部位（すくい面７３寄り部位）に、平面視、円弧状で接するように、逃げ角に対応したテーパ面をなすように、上端に向けて拡径されている。これにより、切削インサート７１はその一側の逃げ面７５を、このテーパ面からなる拘束部３５に押付けて拘束（位置決め）される設定とされている。
【００２３】
上記したように本例の切削工具１００に用いられる切削インサート７１は、ポジタイプの円形チップである。ただし、この切削インサート７１は、上面（すくい面７３）は平坦（平面）である。一方、その下面（下部）７６は、円形の切れ刃７２が対向する２箇所で使用されるように、１つの直径を挟んで対称形状をなすよう、凸となすＶ形に形成されている（図８参照）。一方、支持部材６１は、切削インサート７１を支持する支持面（座面）をなす上面６４が、切削インサート７１の下部に嵌合する凹となすＶ（Ｖ字谷）形に形成されている（図８参照）。そして、その支持面寄り部位の外周面（逃げ面）６５は、切削インサート７１の逃げ面７５の逃げ角と同テーパとされている。また、その上面６４（支持面）に切削インサート７１の下部を同心状にして嵌合させたときにおいて、その側面である逃げ面６５が、切削インサート７１の側面である逃げ面７５と連なる逆円錐台形状を呈するように形成されている。すなわち、支持部材６１の逃げ面（側面）６５の支持面寄り部位（上約半分）は、切削インサート７１の外周面である逃げ面７５に連なるテーパに形成されている。そして、下方の約半分が上下に同径の円柱形をなしている。なお、この支持部材６１を、その下面６２を座面２３に着座させて位置決めして、上記したネジ部材９１をホルダ１１の下面１４から、貫通孔２５に挿通して、支持部材６１の下面６２中央に設けられたねじ穴６３にねじ込んで、これを固定したとき、支持部材６１の外周面（逃げ面６５）と、上記した拘束壁３１との間には、拘束部３５を除いて空隙が形成される設定とされている（図４〜図７参照）。これより明らかなように、座面２３は、支持部材６１の下面６２と同心で、その下面より一回り大きい平坦な円形を呈している。
【００２４】
このような座面２３のうち、前記した拘束壁３１と反対側のホルダ１１における先端側には、その周縁部（外周縁部）に沿って、平面視、略半円弧状をなす形で、所定の肉厚（例えば、０．５〜１．０ｍｍ）をなす板壁４１が、その座面２３において略垂直に立ち上げられている（図２〜図７参照）。この板壁４１は、拘束壁３１の高さの中間部位（段部３３）までの高さとされ、平面視、周方向の両端が拘束壁３１に連なるように形成されている。本例では、この板壁４１の高さは周方向において一定（同じ高さ）とされている。また、板壁４１の上端４３は、内側の座面２３に、支持部材６１を着座させた際において、その上面６４のＶ字谷より低位でありかつ、支持部材６１の外周面（逃げ面）６５におけるテーパ面における高さの中間部位となるように設定されている。本例では、板壁４１の内壁面４４と拘束壁３１の座面寄り部位３２内周面とで、平面視、１つの円をなしている（図３参照）。これにより、本例では、支持部材６１が座面２３に、位置決め、固定された際、支持部材６１の逃げ面（外周面）６５は、この板壁４１の内壁面４４と、これ連なる拘束壁３１の座面２３寄り部位３３の内周面との間で、平面視、周方向において一定の空隙（隙間）Ｋからなる円筒状（円環状）の空間が保持されるように設定されている。ただし、この空隙Ｋは、板壁４１の上端４３においては、支持部材６１の外周面である逃げ面６５のテーパに対応して座面２３側より狭くなっている。すなわち、支持部材６１の逃げ面６５と板壁４１の内壁面４４との間で、その上端４３において上向きに開口するよう形成されている（図６参照）。なお、板壁４１は、その外周面が、ホルダ１１の先端２１の平面視、凸となす円弧をなす頭部１７の先端向き面と面一となるように形成されている。
【００２５】
一方、ホルダ本体１０の内部には、その長手方向に沿って延びる形で、クーラント供給用の供給孔５１が、その横断面の略中央を貫通してトンネル状に設けられている。この供給孔５１は、ホルダ１１の基端１２に、クーラントの図示しない供給配管に対する接続口（入口）５３が開口されている。また、ホルダ１１の先端２１の拘束壁３１の座面２３寄り部位には、その吐出口５５が開口されている。これにより、接続口に接続された配管を介して圧送源からクーラントを圧送することで、クーラントは、各図中に、破線矢印で示したように、供給孔５１を流れて吐出口５５において吐出されるように形成されている。なお、本例では、この供給孔５１は、横断面が円形とされ、その吐出口（開口）５５の下縁が座面２３と一致するように設けられているが、吐出口５５は、座面２３より低位とされて、開口されていてもよい。すなわち、座面２３において開口されていてもよいし、その両者に跨って開口されていてもよい。
【００２６】
このような切削工具用ホルダ１１を用いる本例の切削工具１００は、図４、図５等に示されるように、そのホルダ１１の先端２１において陥没するように形成されている座面２３に、支持部材６１を着座させる（載置する）。そして、ホルダ１１の下面１４から、貫通孔２５にネジ部材９１を通して、支持部材６１のねじ穴６３にねじ込んで、支持部材６１を固定する。これにより、同時に貫通孔２５は閉塞される。こうして固定された支持部材６１の上面６４に、切削インサート７１の下部を上記したように嵌合させて着座させる（載置する）。この状態において、その逃げ面７５の上縁寄り部位（すくい面７３寄り部位）を、拘束壁３１における拘束部（テーパ面）３５に押し付ける。そして、この押付け状態の下で、クランプ部材に８３おける先端寄り部位（押さえ付け部）８４で、すくい面７３を押えるようにしつつ、ネジ部材（締付けボルト、クランプネジ部材）８１をねじ穴１９にねじ込む。これにより、切削インサート７１はホルダ１１の座面２３に固定され、図１に示した切削工具１００となる。なお、円筒旋削では、横送りにおける切削抵抗が大きいので、それに抗することができるように、支持部材６１はそのＶ字谷がホルダ１１の先後に延びるようにして座面２３に配置して固定するのがよい。
【００２７】
このような切削工具１００においては、図４〜図８に示したように、板壁４１及び拘束壁３１と、これらに包囲されて座面２３に固定された支持部材６１の外周面（逃げ面６５）との間には、上記したように円環状をなす空隙Ｋが形成されている。そして、この空隙Ｋは、ホルダ１１におけるクーラントの供給孔５１とその吐出口５５を介して連通している。一方、拘束壁３１における上方の拘束部３５に対しては、切削インサート７１の逃げ面７５のうち、すくい面７３寄り部位が押付けられていることで、その上方の部位は閉塞されている。他方、この空隙Ｋにおける板壁４１に沿う円弧状部位の上方（上端）は開口されている。これにより、ホルダ１１の基端１２の接続口（クーラントの入口）５３にクーラントの供給用の配管が接続され、それが供給（圧送）されると、クーラントは拘束壁３１の座面２３寄り部位に設けられた吐出口５５において、各図中、破線矢印で示されるように、その空隙Ｋに吐出される。この空隙Ｋに吐出されたクーラントは、その空隙Ｋにおいて左右に分岐して先端側に回りこむように、支持部材６１の外周面（逃げ面６５）と板壁４１の内壁面４４との間に入り込む（流れ込む）。このように流れ込んだクーラントは、平面視、すくい面７３側に向けて開口している円弧状の空隙Ｋの上端（開口）を噴出孔として噴出する。このとき、上記したように板壁４１が設けられていることから、その内壁面４４により、噴出するクーラントは、その空隙Ｋにおいて座面２３側から支持部材６１及び切削インサート７１の逃げ面６５、７５に沿って、切削インサート７１の切れ刃７２又はその近傍に向けて噴射させられる。すなわち、吐出口５５において吐出されたクーラントは、先端側の板壁４１の内壁面４４と支持部材６１の外周面６５との空隙Ｋに流れ込み、板壁４１の上端４３に沿う、平面視、円弧状の開口において、板壁４１の内壁面４４をガイドとして噴出される。これにより、クーラントは、図６、図８、図９中に破線矢印で示したように、逃げ面７５に沿って薄膜流となって座面２３側から、すくい面７３側の切れ刃７２に向けて吹き付けられる。すなわち、本例では、クーラントは、図６〜図９に破線矢印で示したように、円形の切れ刃７２の平面視、約１８０度以上に範囲に吹き付けられる。
【００２８】
以上のことから明らかなように、本例の切削工具１００を旋盤の刃物台に固定して、クーラントを供給しながら工作物Ｗを例えば円筒旋削する場合においては（図６、７参照）、クーラントは薄膜流となって、切削を受け持つ側の円弧状の切れ刃７２に沿う領域の全体に吹き付けられる。これにより、このような切削においても、チップ支持力低下を招くことなく、効率的に浴びせることができる。なお、クーラントの吹きつけが相対的に重要でない部位、すなわち、実際に切削を受け持つ切れ刃の部位以外の切れ刃の部位には、相対的に少ない流量でクーラントが吹き付けられるようにしてもよい。このため、平面視、そのような切れ刃部位に対応する部位の空隙Ｋは、クーラントの流路として支障がない範囲で、それを相対的に小さくしてもよい。
【００２９】
さて、上記実施形態からも明らかなように、本発明において得られるクーラントの噴出における薄膜流は、ホルダ１１に切削インサート７１を固定する段取り時において、支持部材６１の逃げ面６５と板壁４１等との間に空隙Ｋが形成されることによって得られるものである。すなわち、薄膜流を得るための上記空隙Ｋの形成は、従来と同様の切削インサート７１、及び支持部材６１のホルダ１１への固定過程において得られる。つまり、本発明では、供給孔の出口である吐出口の形状とは関係なく、所望とする薄膜流が得られる。したがって、その吐出口は、従来と同様の単純形状（例えば円形）でよいため、その加工、形成の複雑化を招くこともない。なお、空隙Ｋ（隙間）は、上記もしたように、必要量ないし適量のクーラントを円滑に流出させ得るように、その粘性や組成、さらには、圧送ポンプの出力等を考慮して設定すればよい。この空隙Ｋは、切削インサート７１の形状、サイズ等の切削条件にもよるが、一般には、０．１〜２ｍｍの範囲内で設定される。
【００３０】
上記例では、吐出口５５を拘束壁３１の座面２３寄り部位において開口させたが、本発明では、クーラントが、切削インサート又は支持部材の周方向（すくい面側から見て逃げ面回り）に流れて、その逃げ面と、板壁の内壁面との間の空隙において座面側からすくい面側に噴出させることができればよい。したがって、このような流れと、噴出が得られる限り、吐出口は拘束壁の高さ方向の中間に設けても、座面において開口させてもよい。
【００３１】
また、上記例では座面２３に、支持部材６１を介して切削インサート７１を固定した場合を例示したが、このような支持部材６１を介することなく、言わば、上記例における支持部材６１と、切削インサート７１とを一体化してなる形の切削インサートを用いることで、これを直接、座面２３に固定することもできる。なお、支持部材６１を用いる場合、すくなくとも、その外周面（逃げ面６５）のうち、クーラントが座面２３側から噴出されて流れる側の外周面は、切削インサート７１の逃げ面７５と段差なく連なるものとするのが好ましい。
【００３２】
さらに、上記例では支持部材６１を座面２３にネジで固定したため、その固定の安定性が高いが、このようなネジによることなく、単に、ダボ合わせによる嵌合で横ズレを防止し、固定は、切削インサート７１の固定手段であるクランプ部材による押し付けにおいて同時に行うものとしてもよい。また、周知の穴付きの切削インサートの固定のように、そのすくい面と、下面間に貫通孔を設けておくと共に、座面にネジ穴を設けておき、すくい面側から直接、クランプスクリュウを通してねじ込むことによるねじ止めとしても具体化できる。すなわち、切削インサートの固定手段は周知のもの（クランプ方式、ないしロック機構等）を適用できる。
【００３３】
また本例では、板壁４１の内壁面４４の上端４３が、支持部材６１の側面（切削インサート７１の逃げ面７５に相当）のテーパ面の部位に位置しているため、噴出されるクーラントは、このテーパ面に打ち付けられる形で噴出される。これにより、クーラントは、支持部材６１の上の切削インサート７１の逃げ面７５に積極的に沿うように吹き付けられる。なお、板壁４１の内壁面４４の上端４３は、切削インサート７１の逃げ面７５に、平行になるように設けてもよい。板壁４１の内壁面４４の上端又は上端寄り部位と、空隙Ｋを挟む対面する支持部材６１又は切削インサート７１における逃げ面６５、７５とのなす角度、又は空隙Ｋの大きさの変化の状態は、クーラントの噴出方向に影響するため、これらは、切削インサート７１のポジ、ネガ及び、空隙Ｋの幅（隙間の広さ）等に基づいて適宜に設定すればよい。
【００３４】
また、上記もしたように、板壁の立ち上げ高さは、クーラントの噴出において上記したガイドをなし得るものであればよいが、板壁４１は、逃げ面側に位置することになるため、切削において工作物に干渉しやすい位置となる。このため、その高さは、こうしたことを考慮し、クーラントの噴出方向の案内可能な範囲で、適宜に設定すればよい。また、板壁の厚みは、できるだけ薄く形成するのが切削における工作物との干渉防止の観点からして好ましい。なお、上記形態では、ポジタイプの切削インサートを用いた場合で説明したが、ネガタイプの切削インサートを用いることもできる。
【００３５】
図１０は、上記形態において、ネガタイプの切削インサート７１を用いた変形例を、その図６に相当する図において例示したものであり、対応する箇所には同じ符号を付している。すなわち、同図に示したように、例えば、支持部材６１を上下に同径のものとして、その上面６４に、ネガタイプの切削インサート７１を載置して、上記例と同様にして固定したものである。なお、この場合には、拘束壁３１の拘束部３５は、その逃げ面７５に合致させるため、例えば、図示のように座面２３側にアンダーカットが生じる。このような場合、一体切削による加工がやり難ければ、その拘束部３５は、別途、ブロック片として加工製造してから、嵌め込み方式で組付ければよい。なお、図６において、切削インサート７１のみを、逃げ角が０のものとし、かつ、その逃げ面７５が当るように拘束壁３１における拘束部を形成して、支持部材６１の上面にその切削インサート７１を嵌合させて固定することとしてもよい。その嵌合部の外周面に多少の段差が生じるものの、クーラントの流量次第では、切れ刃７２の近傍に吹き付けることができるためである。
【００３６】
さて、上記例では、すくい面が円形の切削インサートを用いた切削工具において具体化したが、本発明はこれに限定されるものではない。例えば、溝入れ用の切削インサート（チップ）においても適用できる。また、すくい面が、正方形やひし形など、コーナを有する多角形のチップにおいても適用できる。次に、その一例として第２実施形態例について、図１１〜図１４を参照しながら説明する。ただし、本例は、上記第１実施形態例とは、切削工具が溝入れ（突っ切り）用の切削工具２００であることに基づく相違点があるのみであり、上記例と本質的な相違はない。このため、同一又は対応する部位には、同一の符号を付すに止め、詳細な説明は省略し、その相違点のみ説明する。
【００３７】
すなわち、本例の切削工具２００は、上記実施形態例におけるホルダ１１、支持部材６１、切削インサート７１等に対し、それが溝入れ（突っ切り）用のものであることに基づき、切削インサート７１等の各部品の形状等が相違する。図１１に示したように、切削インサート７１は、矩形の溝入れを受け持つため、平面視、先端側に位置する切れ刃（前切れ刃）７２に対し、その側方に位置する切れ刃（横切れ刃）７２ｂは、後方に向かうにしたがって幅が狭くなる概略、矩形をなしている。そして、この切削インサート７１を固定するため、ホルダ１１における頭部１７、及び座面２３、支持部材６１等が、平面視、細長い概略、矩形をなしている。ホルダ１１における頭部１７は、平面視、矩形をなして凹設され、座面２３は、その頭部の上面において陥没状に掘り込まれて形成され、板壁４１は、その周囲においてその先端２１側と両側において立ち上がるように形成されている。そして、拘束壁３１は、座面２３の後端（ホルダの基端１２）側において、相対的に立ち上がるように形成されている。なお、本例では、支持部材を固定するネジ部材９１は２本であり、クランプ部材８３は、その後端下面に設けられたボス８７をホルダ１１の上面１３の穴１８に嵌合させる設定とされている。
【００３８】
本例では、この陥没状に形成された座面２３に、上記例と同様にして、平面視矩形の支持部材６１を位置決めして、ネジ部材９１で固定する（図１２〜図１４参照）。このとき、支持部材６１の平面視、四辺に沿う側面（前逃げ面６５、切削インサートの横逃げ面に対応する両側面６６、及び後端面６７を含む４つの側面）と、これを包囲する板壁４１と、拘束壁３１との間には、図１３、図１４に示したように、それぞれ空隙Ｋが形成され、これによって平面視、矩形枠状の空隙が形成されている。そして、この支持部材６１の上に、切削インサート７１を着座させて位置決めし、クランプ部材８３を用いて前例と同様にして固定している。なお、本例では、切削インサート７１は、その後端面７７を、拘束壁３１上方の拘束部３５に押付けて固定されている。これにより、本例では、矩形の切削インサート７１の、平面視、前切れ刃７２と、両側の横切れ刃７２ｂに沿う、各辺に対応する支持部材６１における各側面６５，６６と、板壁４１との間の空隙Ｋにおいて、クーラントがそれらに沿って座面２３側から切れ刃７２、７２ｂ又はその近傍に向けて噴射されるように形成されている。
【００３９】
すなわち、このような本例では、クーラントはホルダ１１の内部に設けられた供給孔５１の吐出口５５において、吐出されると、拘束壁３１の座面寄り部位３２と、これに対応する支持部材６１の後端面６７との間の空隙Ｋに吐出される（図１３右下の図参照）。そして、このクーラントは、平面視、支持部材６１の両側に沿う２つの外側面６６と、板壁４１との間の空隙Ｋ（図１４参照）を流れて先端側（前逃げ面６５側）の空隙Ｋに回り込み、それらの空隙Ｋにおいて、座面２３側から前切れ刃７２及び横切れ刃７２ｂ又はそれらの近傍に向けて噴射されることになる。すなわち、本例の切削工具２００において、溝入れまたは突っ切り加工をする場合には、クーラントは、座面２３側から前逃げ面等に沿って、前切れ刃７２及びその側方に位置する横切れ刃に向けて、薄膜流となって吹き付けられることになる。これにより、本例においても上記例と同様の効果が得られる。
【００４０】
上記各例では、支持部材６１を介して、切削インサート７１を固定した場合を説明したが、本発明は、切削インサート７１を座面２３に直接、着座させて固定する場合においても適用できる。その一例として第３実施形態例について、図１５〜図１７に基づいて説明する。ただし、本例の切削工具３００は、上記第１実施形態例とは、支持部材６１の有無を除けば、実質的には切削インサート７１が、平面視、ひし形で下面７６が平坦なものに変わっている点のみが相違するだけといえる（図１５、図６参照）。このため、この相違点を中心として説明し、同一又は対応する部位には、同一の符号を付すに止める。なお、切削インサート７１は穴付きのものとされ、座面２３のネジ穴２５に、ネジ部材（クランプスクリュウ）９５によるねじ込みで、これを直接、固定するものとされている。
【００４１】
本例のホルダ１１は、図１５、図１６に示されるように、その先端２１において、固定される切削インサート７１の前逃げ面７５側と横逃げ面７５側を開放するように、上面１３において凹設されており、その底部が平坦な座面２３をなしている。座面２３は、固定されるひし形の切削インサート７１の平坦な下面７６より一周り大きく形成されている。そして、この座面２３の凹設に対応して、切削インサート７１を拘束するための拘束壁３１が、座面２３の周縁部において立ち上げられている。すなわち、拘束壁３１は、平面視、切削インサート７１の１つのコーナを挟む配置で、その２つの逃げ面７５，７５に沿う形で立ち上げられている。ただし、この拘束壁３１は、その座面寄り部位３２が座面２３に垂直に立ち上がるように形成され、上面近傍（寄り）の部位３５が、切削インサート７１（ポジ）の逃げ面７５（逃げ角）に略一致するように角度が付けられており、拘束部３５をなしている。これにより、切削インサート７１が、コーナーを挟む２つの逃げ面７５を２つの拘束壁３１の拘束部３５に押付けられて拘束されて位置決めされる設定とされている。これにより、このとき、その座面寄り部位３２は、２つの逃げ面７５，７５との間で空隙Ｋが設定されるものとされている（図１７参照）。そして、このように切削インサート７１を位置決めした際において、切削を行う１つのコーナ７２ｃを挟む前逃げ面７５と横逃げ面７５との間に、空隙Ｋが保持されるように、その座面２３の周縁部には板壁４１が立ち上げられている。なお、この板壁４１の立ち上げ高さは、座面２３に垂直に立ち上げられている拘束壁３１のうち、座面寄り部位３２の高さと略同じとされている。また、クーラントの吐出口５５は、平面視、２つの拘束壁３１の交差部（隅角）において開口されている。
【００４２】
しかして、切削インサート７１をホルダ１１の座面２３に、上記したように着座させて位置決めしてクランプスクリュウ９５をその穴に通して、座面２３の中央に設けられたネジ穴２５にねじ込む。こうして切削インサート７１を固定することにより、平面視、その４つ辺に沿う逃げ面７５、７５の周囲にはひし形の空隙Ｋが存在する。このうち、板壁４１に沿う空隙Ｋの上端は開口されている。これにより、切削インサート７１が固定された状態で、クーラントが供給孔５１に供給される場合には、クーラントはその吐出口５５において空隙Ｋに吐出され、切削を受け持つ切れ刃コーナ（ノーズ）７２ｃに向けて、その空隙Ｋを回り込むように流れる（図１７参照）。そして、このように流れ込んだクーラントは、その切削を受け持つノーズ（コーナ）７２ｃを挟む前逃げ面７５および横逃げ面７５と、これらに対向する板壁４１の内壁面４４との間の空隙Ｋにおいて噴射される。すなわち、クーラントはこの空隙Ｋにおいて、その内壁面４４にガイドされて、座面２３側から各逃げ面７５，７５に沿って切削インサート７１の切れ刃７２又はその近傍に向けて噴射される。このように本例でも、上記各例と同様に、逃げ面７５，７５側において座面２３から、切削を受け持つノーズ７２ｃを含む切れ刃７２又はその近傍に、その切れ刃７２に沿う所定範囲にわたって、クーラントを薄膜流で吹き付けることができる。
【００４３】
本発明は、上記各例において説明したものに限定されるものではなく、本発明の要旨を逸脱しない限りにおいて適宜に変更を加えて具体化できる。上記もしたように、チップ形状や切れ刃形状に限定されるものではないし、座面に対するチップの固定は、支持部材を介することなく直接行うこととしてもよい。また、支持部材を用いる場合でも、これを複数の積層構造としてもよい。また、チップのタイプ（ポジ、ネガ）にも限定されない。さらに、本発明において適用されるクーラントは、油性、水性等の液でなく、ガス（例えば、冷却空気）を用いる場合にも適用できる。なお、クーラントの供給孔は、その供給が行えればよく、したがって、ホルダの基端から先端に向かう直線状に設けるものでなくともよいことは明らかである。
【符号の説明】
【００４４】
１１  切削工具用ホルダ
２１  切削工具用ホルダの先端
２３  座面２３
３１  拘束壁
３２  拘束壁の座面寄り部位
３５  拘束部
４１  板壁
４４  内壁面
５１  クーラントの供給用の供給孔
５５  吐出口
６１  支持部材
６５  支持部材の逃げ面
７１  切削インサート
７２  切削インサートの切れ刃
７３  切削インサートのすくい面
７５  切削インサートの逃げ面
１００，２００，３００  切削工具
Ｋ  空隙
【図１】
2014046446.tif 000003
【図２】
2014046446.tif 000004
【図３】
2014046446.tif 000005
【図４】
2014046446.tif 000006
【図５】
2014046446.tif 000007
【図６】
2014046446.tif 000008
【図７】
2014046446.tif 000009
【図８】
2014046446.tif 000010
【図９】
2014046446.tif 000011
【図１０】
2014046446.tif 000012
【図１１】
2014046446.tif 000013
【図１２】
2014046446.tif 000014
【図１３】
2014046446.tif 000015
【図１４】
2014046446.tif 000016
【図１５】
2014046446.tif 000017
【図１６】
2014046446.tif 000018
【図１７】
2014046446.tif 000019